(57)【要約】ヒト眼球内に移植される中心光学要素から延在する、例えばＴ字形触覚のような、前方および後方に移動可能な延長部分と、後方の光学要素から間隔をあけて配置される第２の光学要素とを有する、遠近調節眼内レンズが開示される。第１の光学要素は、被膜嚢の中に移植されることを目的とし、第２の光学要素は、被膜嚢の中、溝の中、または前房の中に置かれ得る。第２の光学要素は、第１の光学要素に間隔をあけて固定され得、このレンズアセンブリは被膜嚢の中に移植される。
2010500911.tif 000002
【特許請求の範囲】
【請求項１】
前側面および後側面と、光学要素から延在する少なくとも２つの部分を備える触覚とを備える、第１の柔軟性光学要素であって、該部分は、該光学要素に隣接する内端と該光学要素より遠位の外端とを有し、該光学要素は、該触覚の該外端に対して前方および後方へ移動可能であり、該部分は、該部分の該外端に固定部材を有する、第１の柔軟性光学要素と、
該第１の光学要素に間隔をあけて取り付けられ、光学系の一部に一体的に取り付けられる、第２の光学要素と、
を備える、遠近調節眼内レンズ。
【請求項２】
前記部分は、触覚平板である、請求項１に記載の眼内レンズ。
【請求項３】
各部分は、該部分の遠位端に少なくとも１つの指を有する平板状触覚を備える、請求項１に記載の眼内レンズ。
【請求項４】
前記部分は、それらの長さの一部にわたって弾性的に屈曲可能である、請求項１に記載の眼内レンズ。
【請求項５】
前記第１の光学要素、部分、および固定部材は、一体的に形成される、請求項１に記載の眼内レンズ。
【請求項６】
前記第２の光学要素、部分、および固定部材は、一体的に形成される、請求項１に記載の眼内レンズ。
【請求項７】
前記部分の前記内端と前記触覚が取り付けられる前記光学要素との間に、ヒンジをさらに備える、請求項１に記載の眼内レンズ。
【請求項８】
前記部分は、ヒンジを形成する薄くなった領域を含む、請求項１に記載の眼内レンズ。
【請求項９】
前記柔軟性ヒンジは、溝によって形成される、請求項８に記載の眼内レンズ。
【請求項１０】
前記部分および固定部材は、Ｔ字形触覚を備える、請求項１に記載の眼内レンズ。
【請求項１１】
前記第１の光学要素は、後方光学要素であり、前記第２の光学要素は、前方光学要素である、請求項１に記載の眼内レンズ。
【請求項１２】
前記第１の光学要素は、前方光学要素であり、前記第２の光学要素は、後方光学要素である、請求項１に記載の眼内レンズ。
【請求項１３】
前記第１および第２の光学要素は、被膜嚢の中に移植される、請求項１０に記載の眼内レンズ。
【請求項１４】
前記第１の光学要素は、被膜嚢の中に移植され、前記第２の光学要素は、溝の中に置かれる、請求項１０に記載の眼内レンズ。
【請求項１５】
前記第１の光学要素は、被膜嚢の中に移植され、前記第２の光学要素は、前房の中に移植される、請求項１０に記載の眼内レンズ。
【請求項１６】
前側面および後側面と、光学要素から延在する少なくとも２つの部分を備える触覚とを備える、第１の柔軟性光学要素であって、該部分は、該光学要素に隣接する内端と該光学要素より遠位の外端とを有し、光学系は、該触覚の該外端に対して前方および後方へ移動可能であり、該部分は、該部分の該外端に固定部材を有する、第１の柔軟性光学要素と、
該第１の光学要素に間隔をあけて取り付けられる、第２の光学要素と、
を備える、遠近調節眼内レンズ。
【請求項１７】
前記レンズは、被膜嚢の中への移植用である、請求項１５に記載の眼内レンズ。
【発明の詳細な説明】
【技術分野】
【０００１】
本発明は概して、水晶体の前嚢切開術を通じて眼球の自然水晶体からの水晶体基質の除去によって形成される、ヒト眼球内に移植される眼内レンズに関する。さらに具体的には、本発明は、最も重要なこととして増加した焦点深度を含む、多数の改良された特徴を有する種類の、新規の遠近調節眼内レンズに関する。
【０００２】
ヒト眼球は、角膜と虹彩との間の前房、水晶体を含有する虹彩の後方の後房、硝子体液を含有する水晶体の後方の硝子体腔、および硝子体腔の後部にある網膜を有する。正常なヒト眼球の水晶体は、その周辺部で小帯によって目の毛様筋に取り付けられ、かつ水晶体基質を含有する、水晶体嚢を有する。この水晶体嚢は、眼科医によってそれぞれ前嚢および後嚢と呼ばれる、弾力性のある光学的に透明な前方および後方の膜様壁を有する。虹彩と毛様筋との間には、毛様体溝と呼ばれる、環状の隙間様空間がある。
【０００３】
若年のヒト眼球は、自然な遠近調節能力を有する。自然な遠近調節能力は、脳による目の毛様筋の弛緩および収縮を伴い、目に近見および遠見視力（ｎｅａｒ  ａｎｄ  ｄｉｓｔａｎｔ  ｖｉｓｉｏｎ）を提供する。この毛様筋作用は自動的であり、見ている光景から目に進入する光線の焦点を網膜上に合わせるように、自然水晶体を適切な光学的構成に成形する。
【０００４】
ヒト眼球は、正しく機能する目の能力を低下させ、または完全に破壊する、種々の障害の影響を受けやすい。これらの障害のうちでより一般的なものの１つは、自然水晶体基質の進行性混濁を含み、いわゆる白内障の形成をもたらす。現在では、白内障水晶体を外科的に除去し、人工眼内レンズを目に移植して自然水晶体を置き換えることによって、白内障を治療することは、一般的な手法である。従来技術は、この目的のために膨大な各種眼内レンズを備えている。
【０００５】
眼内レンズは、それらの物理的外見および配置において大きく異なる。本発明は、中心光学領域または光学要素と、光学要素から外側へ延在し、光学要素を目の軸上に支持するような方法で目の内側と係合する触覚（ｈａｐｔｉｃｓ）とを有する種類の、眼内レンズに関する。
【０００６】
眼内レンズは、それらの遠近調節能力および眼内での配置に関して様々に異なる。遠近調節とは、眼内レンズが遠近調節を行う、つまり、近見および遠見視力のために目の焦点を合わせる能力である。ある特許は、遠近調節であると主張する眼内レンズを記載する。他の特許は、非遠近調節眼内レンズを記載する。大部分の非遠近調節レンズは、ある固定距離のみにおいて目の焦点を合わせ、焦点を変えるために眼鏡の着用を必要とする、単焦点光学要素を有する。他の非遠近調節レンズは、目の網膜上で近い物体および遠い物体の両方の像を取得する、多焦点光学要素を有する。脳は適切な像を選択して、他の像を抑制し、その結果として、多焦点眼内レンズは眼鏡なしで近見視力および遠見視力の視覚を提供する。しかしながら、二焦点眼内レンズは、各二焦点像が利用可能な光の約４０％だけを提示し、光の残りの２０％は散乱して失われるという、不利点を抱えている。
【０００７】
眼球内の眼内レンズの４つの可能な配置がある。これらは、（ａ）前房の中、（ｂ）後房の中、（ｃ）被膜嚢の中、および（ｄ）硝子体腔の中である。本出願で開示される眼内レンズは、主として被膜嚢の中に配置されるものであるが、一部は、溝および／または前房の中に配置される。
【発明の開示】
【課題を解決するための手段】
【０００８】
本発明は、自然水晶体の前嚢開口部を通じた自然水晶体嚢からの水晶体の除去後に、眼球内にそのままで残るヒト眼球内に移植される、改良型遠近調節眼内レンズを提供する。この前方開口部は、自然水晶体に、前嚢切開術、好ましくは前方嚢切開を実施することによって作成され、その周囲を自然水晶体の前嚢の残存物である前嚢周縁によって取り囲まれる。本発明による改良型遠近調節眼内レンズは、通常は前側面および後側面を有する１つ以上の中心光学要素と、周方向に間隔をあけ、かつ光学要素の縁から概ね半径方向に延在する延長部分とを含む。これらの延長部分は、光学要素に接合される内端と、光学要素に対して前方および後方に移動可能な反対側の外端とを有する。この端に対して、延長部分は、その内端において光学要素に枢動可動にまたは柔軟にのいずれかでヒンジ結合され、またはその長さの全体にわたって弾性的に屈曲可能である。本開示において、「屈曲する」、「屈曲」、「柔軟性」という用語および同類のものは、柔軟にヒンジ結合された部分、および弾性的に屈曲可能な延長部分の両方を包含する、広い意味で使用される。「ヒンジ」、「ヒンジ結合された」、「ヒンジ結合する」という用語および同類のものは、枢動可動におよび柔軟にヒンジ結合された延長部分の両方を包含する、広い意味で使用される。
【０００９】
レンズは、嚢の前嚢開口部を通して、かつレンズ光学要素が開口部と整列される位置で、患者の眼球内に外科的に移植され、レンズの延長部分の外端は、嚢の外周または円蓋（ｃｕｌ−ｄｅ−ｓａｃ）の中に、あるいは溝または前房の中に置かれる。レンズは、レンズが眼球内に移植されたときに延長部分の外端が内周壁と係合するような、各延長部分の外端からレンズ光学要素の軸までの半径寸法を有する。
【００１０】
目の被膜嚢への遠近調節眼内レンズの外科的移植の後に、嚢の前嚢周縁の後側の活性外胚葉細胞が、線維化によって周縁と嚢の弾性的後嚢との融合を引き起こす。この線維形成はレンズの延長部分の回りで発生し、これらの延長部分は線維組織によって効果的に「収縮包装」されるが、その方法は、線維組織内に放射状ポケットを形成し、それが、延長部分の外端が被膜嚢の外円蓋の中に位置するように、延長部分を包むという方法である。この場合、これによってレンズは被膜嚢内に固定され、レンズ光学要素は嚢の前嚢開口部と整列される。前嚢周縁は線維形成の間に縮小し、この縮小は、延長部分の収縮包装と協同して、レンズのある程度の半径方向の圧縮を引き起こし、それは、レンズ光学系を、目の軸に沿って延長部分の外端に対して後方へと移動させる傾向がある。線維化した革のような前嚢周縁は、光学要素の前方移動を妨げ、線維化の間に光学要素を後方に強く押す。したがって、治癒過程の間に、光学系の線維化誘導移動が、後方の遠見視力位置に向かって発生し、その間に、光学要素および延長部分の内端のいずれか、またはその両方が、被膜嚢の弾性後嚢を後方に圧迫し、この後嚢を後方に伸張させる。
【００１１】
線維形成の完了後に、毛様筋の正常な脳誘導弛緩および収縮は、かくして、網膜に対する近見視力位置と遠見視力位置との間の、レンズ光学系の前方および後方への遠近調節移動を引き起こす。光学系のこの遠近調節移動の間、レンズの延長部分は、被膜嚢の中のポケット内で端部方向への移動を起こす。
【００１２】
本発明の別の重要な局面によれば、現時点で好ましいレンズの実施形態の延長部分は、それぞれ、触覚平板と、触覚平板の外端の一対の比較的細い弾性的に柔軟な固定指とを含む、略Ｔ字形触覚であり得る。通常の応力のない状態において、各触覚平板の外端の２つの固定指は、平板の面内で各触覚平板の反対の縁から横方向外側へ向かって、平板の半径方向外端と略同一面で、Ｔ字形触覚の水平「クロスバー」を形成するように延在する。触覚平板の半径方向外端縁は、目の毛様筋が弛緩するときの被膜嚢の内周の半径を厳密に近似する実質的に等しい半径で、レンズ光学系の中心軸のまわりに円形の曲線をなす。レンズを嚢に移植する間、嚢の内周壁は、触覚指を通常の応力のない位置から弓状の曲がった構造へと、略半径方向内側に向けて撓め、そのとき、指の半径方向外縁および各触覚平板の湾曲した外端縁は、嚢の内周壁の曲率を厳密に近似した、共通の円形曲率にほぼ一致する。次いで、触覚の外側Ｔ字端が、周辺嚢壁を軽く圧迫して、線維化の間に嚢周辺内に固定され、レンズ光学系が嚢の前嚢開口部と整列されるように、嚢中に移植されたレンズを正確に中心に合わせる。
【００１３】
ある説明されたレンズ実施形態の触覚平板は、光学要素の直径よりも狭い幅を有する。このような比較的狭い触覚平板は、比較的容易に屈曲または枢動して、レンズの遠近調節作用を補助し、触覚指と光学要素との間に線維化した被膜嚢中の最大長さの触覚ポケットを形成し、それは、レンズ光学要素の遠近調節移動を最大化する。触覚は、毛様筋の収縮中に被膜嚢ポケット内で半径方向に摺動し得、視覚の遠近調節のための光学系の前方移動を可能にする。
【００１４】
本発明の一部の説明されたレンズの実施形態において、レンズ光学系および延長部分は、統合一体レンズ構造として成形または加工され、その場合、延長部分の内端は光学系に一体的に接合され、延長部分は、それらの長さの全体にわたり各点において弾性的に柔軟であるか、または、延長部分が光学要素に対して前方または後方にヒンジ挙動可能であるように、光学系に隣接する内端において柔軟性ヒンジを有するかのいずれかである。他の説明されたレンズの実施形態では、光学要素および延長部分は、別々に形成され、嵌合ヒンジ部分を有し、それは相互係合して、光学要素および延長部分を枢動可能に接合する。これらの説明された実施形態のうちの一部では、延長部分は、柔軟性触覚指を触覚平板そのものと一体的に成形または形成することによって形成される、Ｔ字形触覚である。他の説明された発明の実施形態では、延長部分は、触覚平板の補強と触覚へのＴ字形の提供との両方を行う、Ｔ字形補強挿入物またはインレーを有する、Ｔ字形触覚である。なおも他の説明された実施形態は、触覚を補強し、触覚にＴ字形を提供し、および／または触覚および光学系に、触覚を光学系に枢動可能に接続するための嵌合枢動ヒンジ部分を提供する、補強挿入物を有する。
【００１５】
本発明の現時点で好適な遠近調節眼内レンズが記載される。これらの好適なレンズは、固定間隔によって互いから一体的に分離された２つの光学要素を備え、略Ｔ字形の弾力的にヒンジ結合された触覚と光学要素とであって、光学要素の後方部分は光学要素の光パワーの大部分を提供する。これらの光学要素は、レンズの前方に偏った構成と連携して、遠近調節の調節幅または遠近調節のヂオプターを増加させる。
【図面の簡単な説明】
【００１６】
【図１】図１は、角膜および網膜と関連づけて配置された、マルチオキュラーシステム用の一対の光学要素を図式的に図示する。
【図２】図２は、１つの光学要素から延在する触覚を有する、二重光学レンズの例を示す。
【図３】図３は、図２の光学要素の平面図であり、Ｔ字形触覚をさらに図示する。
【図４】図４は、光学要素と、２つの光学要素を共に結合する複数のスペーサを示す、断面図である。
【図５】図５は、後方レンズのさらなる図である。
【図６】図６は、後方レンズよりも大きな直径を有する前方レンズのさらなる図である。
【図７ａ】図７ａは、光学要素および適切なスペーサを図示する、側面図である。
【図７ｂ】図７ｂは、光学要素および適切なスペーサを図示する、平面図である。
【図８】図８〜図１２は、眼球内のレンズの異なる配置を図示する概略図であり、図８は、被膜嚢の中の従来の配置を示す。
【図９】図８〜図１２は、眼球内のレンズの異なる配置を図示する概略図であり、図９は、被膜嚢の中の２つのレンズを示す。
【図１０】図８〜図１２は、眼球内のレンズの異なる配置を図示する概略図であり、図１０は、被膜嚢の中の１つのレンズおよび溝の中のもう１つのレンズを示す。
【図１１】図８〜図１２は、眼球内のレンズの異なる配置を図示する概略図であり、図１１は、嚢の中の１つのレンズおよび前房の中のもう１つのレンズを示す。
【図１２】図８〜図１２は、眼球内のレンズの異なる配置を図示する概略図であり、図１２は、嚢の中の一体的に連結された２つの光学要素を示す。
【図１３】図１３は、体外のレンズ系を示す。
【図１４】図１４は、体外視覚線維形成におけるレンズ系を示す。
【図１５】図１５は、現在利用可能な遠近調節眼内レンズを備えたヒト眼球を図示する。
【発明を実施するための形態】
【００１７】
ここでこれらの図面を参照するが、最初に図１５を参照すると、ヒト眼球１０が図示されており、その自然水晶体基質が、前嚢切開術、この場合では連続裂円形嚢切開術または嚢切開によって形成された嚢の前方開口部を通して、目の自然水晶体嚢から除去されている。前に述べたように、この自然水晶体基質は、通常は光学的に透明であるが、しばしば混濁して白内障を形成し、白内障は、基質を除去して人工眼内レンズで置き換えることによって治療される。
【００１８】
連続裂円形嚢切開術、または嚢切開は、前嚢の中心に比較的平滑な縁を有する円形開口部を形成するような方法で、略円形裂線に沿って前嚢を切り裂くステップを伴う。白内障は、この開口部を通して自然水晶体嚢から除去される。この外科的手技の完了後に、目は、光学的に透明な前角膜１２、不透明な強膜１４とその内側にある目の網膜１６、虹彩１８、虹彩の後方の被膜嚢２０、およびゲル様硝子体液で満たされた被膜嚢の後方の硝子体腔２１を含む。被膜嚢２０は、連続裂円形裂嚢切開が行われ自然水晶体から自然水晶体基質が除去された後に、眼球内に無傷の状態で残る目の自然水晶体の構造である。
【００１９】
被膜嚢２０は、環状前嚢残存物または周縁２２と弾性後嚢２４とを含み、それらは嚢の周囲に沿って接合されて、周縁と後嚢との間に環状隙間様円蓋２５を形成する。嚢周縁２２は、自然水晶体に嚢切開が行われた後に残る、自然水晶体前嚢である。この周縁は、それを通して自然水晶体から自然水晶体基質が以前に除去された、被膜嚢の中心の略円形の前方開口部２６（嚢切開術）を円周方向に取り囲む。被膜嚢２０は、その周辺部のまわりで、小帯３０によって目の毛様筋２８に固定される。
【００２０】
正常なヒト水晶体を有する正常なヒト眼球の自然な遠近調節は、異なる距離における物体を見ることに反応する、脳による目の毛様筋の自動的な収縮または拘縮および弛緩を伴う。筋肉の通常の状態である、毛様筋弛緩は、遠見視力のためにヒト水晶体を成形する。毛様筋収縮は、近見視力のためにヒト水晶体を成形する。遠見視力から近見視力への脳誘導変化は、遠近調節と呼ばれる。
【００２１】
除去されたヒト水晶体に置き換わり遠近調節機能を実施する、米国特許第７，０４８，７６０号に示されているような遠近調節眼内レンズ３２が、目１０の被膜嚢２０内に移植される。遠近調節眼内レンズは、白内障自然水晶体のような事実上完全に欠陥のある自然水晶体、または、ある距離では眼鏡を着用せずに十分な視覚を提供するが、別の距離では眼鏡を着用した時にのみ十分な視覚を提供する自然水晶体のいずれかを、置き換えるために使用され得る。例えば、下記のような本発明の遠近調節眼内レンズは、近見視力のための読取りガラスまたは遠近両用眼鏡を必要とする４０代半ばの人々に対して、屈折異常を矯正し、遠近調節を回復するために使用され得る。
【００２２】
眼内レンズ３２は、比較的硬質の材料、比較的軟質の柔軟な半剛性材料、または硬質および軟質材料の両方の組み合わせで形成され得る、単一の本体を備える。レンズ本体に適している比較的硬質の材料の例は、メタクリル酸メチル、ポリスルホン、およびその他の比較的硬質の生物学的に不活性な光学材料である。レンズ本体用の適切な比較的軟質の材料は、シリコーン、ヒドロゲル、不耐熱性材料、およびその他の柔軟な半剛性の生物学的に不活性な光学材料である。
【００２３】
（好適な実施形態の説明）
図１から始まって下記にさらに説明されるように、レンズ系は、一方が他方の前にあって、共に結合される２つの光学要素を備える。Ｔ字形延長部分または平板触覚３６が、光学要素の直径をはさむ反対側の縁から延在する。これらの触覚は、光学要素の一方または他方に接合される内端および反対側の外側自由端を有する触覚部材または平板３６そのものと、それらの外端の横方向固定指とを含む。触覚平板３６は、それらの端に向かって幅が狭くまたは広くなるように、縦方向にテーパーを有し得、または、それらの周囲においてより広く、かつ光学要素に隣接してより狭くなり得る。光学系３４は、触覚３６に対して前方および後方へ移動可能である。図示される好適なレンズの実施形態は、弾力性のある半剛性の生体材料で構成され、触覚平板３６の内端を光学要素の１つに結合する柔軟性ヒンジ３８を有する。触覚は比較的剛性を有し、光学要素に対して前方および後方にヒンジの回りに屈曲可能である。これらのヒンジは、溝３８によって形成され、溝は、触覚平板３６の前側または後側のいずれかに存在し、触覚平板の内端を横断して延在する。触覚３６は、光学系の前および後の方向に、ヒンジ３８の周りに屈曲可能である。レンズは、比較的平坦な応力のない構成を有し、触覚３６およびそれらのヒンジ３８は、光学要素３４の光軸に対して直角な共通平面内に配置される。ヒンジの周りの前方または後方への触覚の移動による、通常の応力のない構成からのレンズの変形は、ヒンジの中に弾性ひずみエネルギー力を生成し、それは、レンズを通常の応力のない構成に戻そうとする。触覚の外端縁は好適にも、光学要素３４の光軸に関して等しい半径の、円形の曲線状である。虹彩の方向に向かう光学系の前方移動はまた、毛様筋の収縮に伴う硝子体腔圧の上昇によって補助される。さらに、この圧力の上昇はまた、光学要素の１つまたは両方を変形し、近見視力をさらに補助し得る。
【００２４】
ここで図１を参照すると、同図は、ヒト眼球１０、角膜１２、網膜１６を図式的に図示し、さらに前方光学要素４０および後方光学要素４１を含む。図１には示されていないものの、通常、後方光学要素４１は、図２および図３（および図１３）に見られるような触覚３６を含む。Ｄ１は、角膜１２から第１の光学要素４０までの距離を、Ｄ２は、２つの光学要素４０と４１との間の間隔を表す。Ｄ２は典型的には、０から３．０ｍｍまでの範囲にある。光学要素のうちの１つは、円環状の表面を有し得る。
【００２５】
文字「ｒ」は、２つの光学要素の４つの可能な半径を表し、それらは、４．９ｍｍから６．０ｍｍまでの範囲にある。ＲＩ１は、角膜１２と第１の光学要素４０との間の水様体（ａｑｕｅｏｕｓ）の屈折率を表し、ＲＩ１およびＲＩ２’は、それぞれ光学要素４０および４１の屈折率を表し、ＲＩ１’は、２つの光学要素間の水様体を表し、Ｒ３は、後方レンズ４１と網膜１６との間の硝子体の屈折率を表す。ＲＩ１は、典型的には１．３３６であり、ＲＩ３は１．３３６、ＲＩ２は１．４２７、Ｄ２は１．０から２．０ｍｍまで、典型的には１．４ｍｍである。様々な半径、屈折率、および光学要素間の距離が、最大の焦点深度を生じるように調整され得る。
【００２６】
図２は、マルチオキュラーレンズシステムを図示し、前方光学要素４０は、後方光学要素４１よりも大きな直径を有する。レンズは、光学要素４１に隣接するヒンジ３８の付いた触覚３６を有する。図３は、後方光学要素４１の平面図であり、Ｔ字形触覚３６、光学要素に隣接するヒンジ３８、および固定指４４を図示する。図４は、２つの光学要素４０および４１が間隔をあけて置かれ、好ましくは液体シリコーンおよび熱により、支柱４６で密閉され得る方法を図示する。該設計は、前方光学要素４０が後方レンズ４１に取り付き得るものである。図９〜図１１からわかるように、前方光学要素４０は、レンズ４１と同様に、触覚および固定指を有し得る。
【００２７】
図５〜図７ｂは、後方レンズ４１、前方光学要素４０、および杭４８を図示し、前方光学要素は、杭を介して、図５および図７ｂで見られるような適切な穴５０または５０’に接続され得る。２つの光学要素４０および４１は、移植前または移植後に取り付けられ得る。前方光学要素４０は取り外し可能であり得、その結果として、度の変更または円環度の変更を提供するために交換され得る。
【００２８】
レンズ４１は、４．０〜６．５ｍｍの光学直径、１０．０〜１２．５ｍｍの触覚３６の端から端までの長さ、１０．５〜１３．０ｍｍのループ４４の先端からループ先端までの長さ、１．０〜５．０ｍｍのヒンジ３８の幅、および０．０５〜１．０ｍｍの底部での深さを有し得る。典型的な材料は、シリコーン、アクリル、または任意の適切な光学材料、およびポリイミドまたはＰＭＡＡのような他のログ材料である。
【００２９】
ここで図８〜図１２を参照すると、図８は、被膜嚢２０の中の標準的な眼内レンズの光学要素３４を示す、図１３と同様の該略図である。図９は、被膜嚢の中に配置される触覚を有するレンズ４０および４１を図式的に図示する。図１０は、被膜嚢２０の中の光学要素４１、および溝の中の前方光学要素４０を図式的に図示する。
【００３０】
図１１は、被膜嚢２０の中の４１、および前房の中のレンズ４０という、２つの個々のレンズを図式的に図示する。図１２は、一体的に連結され、被膜嚢の中に配置された、レンズシステム４０および４１を図示する。それぞれの場合において、後方光学要素は、標準的な遠近調節眼内レンズであり得る。
【００３１】
レンズ４０または４１のいずれもが、特許出願第１１／４６１，２９０号（２００６年７月３１日出願、代理人整理番号１３５３３．４０６９）による、安定化遠近調節眼内レンズであり得る。
【００３２】
図１３は、体外のレンズ系を示す。レンズ系は、触覚が前方光学要素に取り付けられて、レンズ系が遠距離に対して焦点を合わされるときには、図１４のように前方への湾曲をもたらすように、または、触覚が後方光学要素に取り付けられて、レンズ系が遠距離位置にあるときには、後方への湾曲をもたらすように、設計され得る。図１４は、線維形成後の体外のレンズを示す。
【００３３】
本発明の実施形態が図示され、かつ説明されてきたが、本発明の範囲から逸脱することなく様々な修正がなされ得、全てのそのような修正および均等物が含まれるべく意図される。
【図１】
2010500911.tif 000003
【図２】
2010500911.tif 000004
【図３】
2010500911.tif 000005
【図４】
2010500911.tif 000006
【図５】
2010500911.tif 000007
【図６】
2010500911.tif 000008
【図７ａ】
2010500911.tif 000009
【図７ｂ】
2010500911.tif 000010
【図８】
2010500911.tif 000011
【図９】
2010500911.tif 000012
【図１０】
2010500911.tif 000013
【図１１】
2010500911.tif 000014
【図１２】
2010500911.tif 000015
【図１３】
2010500911.tif 000016
【図１４】
2010500911.tif 000017
【図１５】
2010500911.tif 000018
【国際調査報告】
2010500911.tif 000019